(57)【要約】【課題】  従来のインライン型光部品のパッケージ構造は、高温高湿環境下において挿入損失の変動が大きくなってしまうことがあった。【解決手段】  基板１４ａおよび基板用蓋１４ｂによって保護された光分岐部分１３ｅは、ステンレスからなる第１の中空部材１７に収納され、さらに、ステンレスからなる第２の中空部材１８に収納されている。第１の中空部材１７，１８の各開口部には、入出力光ファイバ１３ａ〜１３ｄが貫通する穴２１ａ〜２４ａを有する蓋２１〜２４が嵌合しており、各蓋２１〜２４と各開口部の内壁面との間の隙間、および各穴２１ａ〜２４ａと入出力光ファイバ１３ａ〜１３ｄとの間の隙間はいずれも０．２［ｍｍ］以下となっている。また、これらの隙間には封止剤としてエポキシ接着剤２５が充填されており、エポキシ接着剤２５により蓋２１〜２４はそれぞれ各開口部に固定されている。【選択図】  図２
2006293041.tif 000002
【特許請求の範囲】
【請求項１】
入力した光信号に所定の作用を施して出力する本体の両側の外側に各々１本以上の入出力光ファイバを有するインライン型光部品を収納するインライン型光部品用パッケージにおいて、
前記本体の全体を覆う長さを有すると共に前記本体の両側と同一位置またはその外側の両端部にのみ開口部を有する透湿性を示さない材質で一体に形成された第１の中空部材と、この第１の中空部材の前記各開口部を前記入出力光ファイバが貫通した状態で封止する第１の封止手段と、前記第１の中空部材の全体を覆う長さを有すると共に前記第１の中空部材の前記各開口部と同一位置またはその外側の両端部にのみ開口部を有する透湿性を示さない材質で一体に形成された第２の中空部材と、この第２の中空部材の前記各開口部を前記入出力光ファイバが貫通した状態で封止する第２の封止手段と、前記第１の中空部材の外側面と前記第２の中空部材の中空内側面との間に設けられた緩衝部材とを備えていることを特徴とするインライン型光部品用パッケージ。
【請求項２】
入力した光信号に所定の作用を施して出力する本体の片側の外側に１本以上の入出力光ファイバを有するインライン型光部品を収納するインライン型光部品用パッケージにおいて、
前記本体の全体を覆う長さを有すると共に前記本体の片側と同一位置またはその外側の一端部にのみ開口部を有する透湿性を示さない材質で一体に形成された第１の中空部材と、この第１の中空部材の前記開口部を前記入出力光ファイバが貫通した状態で封止する第１の封止手段と、前記第１の中空部材の全体を覆う長さを有すると共に前記第１の中空部材の前記開口部と同一位置またはその外側の一端部にのみ開口部を有する透湿性を示さない材質で一体に形成された第２の中空部材と、この第２の中空部材の前記開口部を前記入出力光ファイバが貫通した状態で封止する第２の封止手段と、前記第１の中空部材の外側面と前記第２の中空部材の中空内側面との間に設けられた緩衝部材とを備えていることを特徴とするインライン型光部品用パッケージ。
【請求項３】
前記第１の封止手段は、前記入出力光ファイバが貫通する穴が形成された前記第１の中空部材の前記開口部を塞ぐ透湿性を示さない材質からなる第１の蓋と、前記第１の中空部材と前記第１の蓋との間の隙間および前記第１の蓋と前記入出力光ファイバとの間の隙間に充填される封止剤とを備えて構成されていることを特徴とする請求項１または請求項２に記載のインライン型光部品用パッケージ。
【請求項４】
前記第１の中空部材の前記開口部と前記第１の蓋の一部または全部とは嵌合しており、その嵌合部での前記第１の中空部材と前記第１の蓋との間の前記隙間、および前記第１の蓋と前記入出力光ファイバとの間の前記隙間が共に０．２ｍｍ以下にされていることを特徴とする請求項３に記載のインライン型光部品用パッケージ。
【請求項５】
前記第２の封止手段は、前記入出力光ファイバが貫通する穴が形成された前記第２の中空部材の前記開口部を塞ぐ透湿性を示さない材質からなる第２の蓋と、前記第２の中空部材と前記第２の蓋との間の隙間および前記第２の蓋と前記入出力光ファイバとの間の隙間に充填される封止剤とを備えて構成され、前記第２の中空部材の前記開口部と前記第２の蓋の一部または全部とは嵌合しており、その嵌合部での前記第２の中空部材と前記第２の蓋との間の前記隙間、および前記第２の蓋と前記入出力光ファイバとの間の前記隙間が共に０．２ｍｍ以下にされていることを特徴とする請求項１から請求項４のいずれか１項に記載のインライン型光部品用パッケージ。
【請求項６】
前記第１の封止手段を貫通する前記入出力光ファイバの全ては、前記第１の中空部材内における前記本体外側の少なくとも一部において、その円周方向全周にわたる被覆が除去されていることを特徴とする請求項１から請求項５のいずれか１項に記載のインライン型光部品用パッケージ。
【請求項７】
前記第２の封止手段を貫通する前記入出力光ファイバの全ては、前記第２の中空部材内における前記第１の中空部材外側から前記第２の封止手段内にかけて、その円周方向全周にわたる被覆が除去されていることを特徴とする請求項１から請求項６のいずれか１項に記載のインライン型光部品用パッケージ。
【請求項８】
前記緩衝部材は、前記第１の中空部材の外側面を包む熱収縮チューブであることを特徴とする請求項１から請求項７のいずれか１項に記載のインライン型光部品用パッケージ。
【請求項９】
前記緩衝部材は、前記第１の中空部材の外側面と前記第２の中空部材の中空内側面との間に充填される、柔軟性を有する充填剤であることを特徴とする請求項１から請求項８のいずれか１項に記載のインライン型光部品用パッケージ。
【発明の詳細な説明】
【技術分野】
【０００１】
本発明は、光通信システムや光センサシステムなどに利用されているインライン型光部品のパッケージングに関するものである。
【背景技術】
【０００２】
インライン型光部品は光信号の入出力端子として光ファイバを具備する光部品であるが、一般的にそのパッケージは、内部の光部品の種類によらず、パッケージ内の光部品を振動や衝撃などの外力から保護したり、温度や湿度といった雰囲気の変化により光部品が劣化して、光学特性が使用環境によって変化するのを抑える役割を持っている。また、近年、光通信システムの発展などに伴って光ファイバの使用範囲が拡大しており、インライン型光部品においてもその使用環境が多様化し、信頼性に対する要求が高度化している。
【０００３】
インライン型光部品は、光電効果を生じる材料を主に利用して電流などにより外部から特性を制御する、レーザ光源や光変調器といったアクティブ光部品（いわゆる能動部品）と、基本的に外部制御を必要としない受動的光学材料を主に利用した、光フィルタや光合分波器といったパッシブ光部品（いわゆる受動部品）とに分類される。さらに、パッシブ光部品は、バルク型光部品、光ファイバ部品および光平面導波路部品の３種類に分類される。バルク型光部品は、マイクロ光部品または微小光学素子ともいわれ、主にレンズを用いて誘電体多層膜フィルタなどの機能性素子を光ファイバ間の光路中に挿入したものである。光ファイバ部品は、光ファイバスプリッタなどのように光ファイバ自体に機能性を付与したものである。また、光平面導波路部品は、主にリソグラフィー技術（微細加工技術）を用いて作成した基板状の平面光回路により、機能性を実現した光部品である。光平面導波路部品やバルク型光部品では、パッシブ光部品だけでなくアクティブ光部品も多く存在するが、光ファイバ部品ではアクティブ光部品は少ない。
【０００４】
一般に、アクティブ光部品やバルク型光部品、光平面導波路部品などのインライン型光部品の内部では、入出力端子となる単一モード光ファイバと光機能性を持つ光素子（機能部本体）とを、光学的に接続（光結合）させる必要がある。一部のアクティブ光部品やバルク型光部品では主にレンズを用いて光結合を行い、光平面導波路部品では直接導波路どうしを接続して光結合を行う。いずれの場合も、単一モード光ファイバで光信号が伝搬する光導波路部（コア）の外径は１０μｍ以下であるため、上記の光結合を低損失で維持させるためには、サブミクロン精度での位置合わせとその精度保持が必要となる。また、光ファイバスプリッタや光ファイバグレーティングなどの光ファイバ部品は、光ファイバを加工して機能性を付与したものであって光ファイバと機能部本体との接続部を内包していない場合が多いが、安定した光学特性を維持するためには、光ファイバ部品の機能部本体を基板などに固定する必要がある。
【０００５】
図１は、機能部本体を基板に固定した従来の１×２光ファイバスプリッタ１のパッケージ構造を示しており、同図（ａ）は１×２光ファイバスプリッタ１のパッケージを一部破断した平面図、同図（ｂ）は同図（ａ）のIｂ―Iｂ線に示す位置で１×２光ファイバスプリッタ１を破断した矢視断面図である。
【０００６】
１×２光ファイバスプリッタ１は、被覆を一部除去した２本の光ファイバ７ａ，７ｂを融着延伸させて形成される光分岐部分７ｃを機能部本体として備えている。この光分岐部分７ｃは、直径が数十ミクロンの細径部を有するために外力や周囲の温度変化の影響を受けやすく、光学特性が変化したり破断しやすい。このため、光分岐部分７ｃは、基板２に形成された溝２ａ内に収納されて有機系樹脂の接着剤３で固定されており、溝２ａに基板用蓋４が被されて、金属製パイプ５に収納されている。そして、金属製パイプ５にはシリコン系樹脂からなるシール材６が充填されており、金属製パイプ５の両端の開口部はシール材６によって封止されている。
【０００７】
光ファイバ部品や光平面導波路部品などの従来のインライン型光部品のパッケージングは、耐衝撃性等を考慮して、上記のように、金属製パイプなどのケースに収納されて、開口部がシリコン系樹脂などの有機系樹脂からなる封止剤により封止されるのが最も一般的である（特許文献１参照）。しかし、高温多湿環境下では、有機系樹脂からなる封止剤を湿気が透過するため、パッケージ内に湿気が浸入して気密性が損なわれる。また、光ファイバは、光信号が伝搬するガラス部を保護するため、ＵＶ硬化樹脂などの被覆を周囲に具備している。しかし、湿気がパッケージ外部にある光ファイバの被覆を浸透して、パッケージ内部の被覆に到達することがあり、被覆がパッケージの気密性をさらに劣化させる要因となることがある。
【０００８】
上記のような接着剤や封止剤などを用いた単純なパッケージングでは、近年における厳しい信頼性を要求する試験規格には適合できない。このような規格としては、例えば、パッシブ光部品の信頼性試験として標準的に広く参照されるTelcordia GR-1221規格がある。この規格の高温高湿試験では、例えば、温度８５［℃］、湿度８５［％］の環境下に光部品を２０００時間放置し、その際の光部品を透過する光量の変化、すなわち、挿入損失の変動が所定の数値より小さい場合に試験に適合したものとみなされるが、この高温高湿試験は試験条件が厳しく、有機系樹脂からなる接着剤や封止剤を用いた光部品にとって過酷なものである。このような高温高湿環境下における気密性の劣化による挿入損失の変動といった問題は、初期的な光学特性の劣化には繋がらないため、従来は問題とされていなかったものであるが、近年の使用範囲の拡大や、要求される光学特性の高度化および使用環境の変化などに伴い、光部品の信頼性に対する要求条件が厳しくなって表面化してきた問題である。従って、パッシブ光部品において、Telcordia GR-1221規格の高温高湿試験に適合する高度な信頼性を確保するには、より高度な気密性を備えたパッケージが必要となる。また、アクティブ光部品においては、上述の高温高湿試験のような過酷な試験が要求されることはないが、低温時においても湿度の影響を受けやすい場合が多く、より高度な気密性を備えたパッケージに対する要求は大きい。
【０００９】
パッケージ内部の気密性を考慮し、厳しい環境下での使用時におけるインライン型光部品の環境性能を改善したものとして、例えば、下記の特許文献２には、湿気を含んだ空気からインライン型光部品を保護するために、内部ハウジングの周囲を柔軟性物質および金属箔で覆ったインライン型光部品のパッケージングが開示されている。また、下記の特許文献３には、光結合部を内ケースに収納し、この内ケースの両端部を剛性物質で密閉し、内ケースを外ケースに収納して外ケースの両端を柔軟性物質で覆って構成した光ファイバスプリッタが開示されている。また、下記の特許文献４には、金属製筐体内に収容された各光部品の周囲をシリコンゲル等の緩衝保護材で充填し、金属製筐体に形成された光ファイバ貫通部内部をエポキシ樹脂で充填することで、湿気の侵入を防ぐと共に、環境温度の変化に伴う筐体の伸縮の影響を低減する光導波路の実装用パッケージ構造が開示されている。また、下記の特許文献５には、光ファイバとして金属コート光ファイバを用い、外装ケースの両端にて金属コート光ファイバを金属製接合材を用いて気密封止（ハーメチックシール）した光ファイバスプリッタ、およびその製造方法が開示されている。
【特許文献１】特開２００２−２３０００号公報（段落[００１０]〜[００１２]）
【特許文献２】米国再発行特許第３７，６９２Ｅ号公報（第２欄第５５行〜第３欄第３５行，図１および図２）
【特許文献３】特開平６−１３８３３９号公報（段落[００１１]〜[００１２]）
【特許文献４】特開平８−２８６０７３号公報（段落[００１７]〜[００２０]）
【特許文献５】特開２００３−１９５０９２号公報（段落[００１１]，[００１３]〜[００３０]）
【発明の開示】
【発明が解決しようとする課題】
【００１０】
しかしながら、特許文献２〜５に記載のインライン型光部品の各パッケージ構造は、以下に示す問題点を有しており、いずれも実用的ではない。
【００１１】
つまり、特許文献２に記載の光ファイバスプリッタでは、内側ハウジングがパイプを２つに分割した構造となっているため、前述の高温高湿試験では、外側ハウジングを湿気が透過すると、２つのパイプの貼り合わせ面に使用している固定材料から湿気が入り込んでしまう。この結果、融着延伸部を固定する接着剤が吸湿し、膨潤することによって機能部本体に応力が加わり、光ファイバスプリッタの挿入損失の変動が大きくなる問題が生じる。
【００１２】
また、特許文献３に記載の光ファイバスプリッタでは、内ケースと外ケースとの間に緩衝層がないため、外ケースに衝撃が加わるとこの衝撃が融着延伸部に直接伝わり、光ファイバスプリッタの挿入損失の変動が大きくなる問題が生じる。
【００１３】
また、特許文献４に記載の光導波路の実装用パッケージ構造では、金属筐体内に光導波路基板を入れるために、金属筐体は物理的に筐体本体と蓋のような２部品以上の構造になっている必要がある。このような構造では、特許文献２の場合と同様に、２部品以上の貼り合わせ面において使用している固定材料から、湿気が金属筐体内に浸透してしまう。このため、前述の高温高湿試験において、光ファイバ貫通部を湿気が透過すると、光導波路と光ファイバとの接続部を固定している接着剤が吸湿し、膨潤することによって光軸がずれてしまい、光導波路の挿入損失の変動が大きくなる問題が生じる。
【００１４】
また、特許文献５に記載の光ファイバスプリッタでは、金属製接合材を用いたパッケージングにより、厳密な気密性を付与して信頼性を抜本的に向上させることが可能である。しかし、このような気密封止はコストの大幅な上昇を伴うと共に、複雑な製造処理工程が必要となるため、一般的な方法ではなく、用途が限定されてしまう。
【課題を解決するための手段】
【００１５】
本発明はこのような課題を解決するためになされたもので、入力した光信号に所定の作用を施して出力する本体の両側の外側または片側の外側に１本以上の入出力光ファイバを有するインライン型光部品を収納するインライン型光部品用パッケージにおいて、本体の全体を覆う長さを有すると共に本体の両側と同一位置もしくはその外側の両端部または本体の片側と同一位置もしくはその外側の一端部にのみ開口部を有する透湿性を示さない材質で一体に形成された第１の中空部材と、この第１の中空部材の両端部の各開口部または一端部の開口部を入出力光ファイバが貫通した状態で封止する第１の封止手段と、第１の中空部材の全体を覆う長さを有すると共に第１の中空部材の各開口部と同一位置もしくはその外側の両端部または第１の中空部材の開口部と同一位置もしくはその外側の一端部にのみ開口部を有する透湿性を示さない材質で一体に形成された第２の中空部材と、この第２の中空部材の両端部の各開口部または一端部の開口部を入出力光ファイバが貫通した状態で封止する第２の封止手段と、第１の中空部材の外側面と第２の中空部材の中空内側面との間に設けられた緩衝部材とを備えていることを特徴とする。
【００１６】
この構成によれば、第２の中空部材および第１の中空部材の内部への湿気の浸透経路は、第２の封止手段および第１の封止手段によって封止された各中空部材の開口部のみとなり、各中空部材の側面側からの湿気の浸透がなくなる。このため、パッケージ内部のインライン型光部品本体への湿気の浸透到達量が減少して、インライン型光部品本体の固定などに使用される接着剤などの膨潤絶対量が抑制される。従って、インライン型光部品の挿入損失の変動も抑制される。また、第１の中空部材と第２の中空部材との間に設けられた緩衝部材によって外部からの衝撃や振動といった機械的ストレスが吸収されるので、インライン型光部品本体は機械的にも保護される。このため、高温高湿環境下や外部から機械的ストレスが加わる場合においても、光学特性の安定した信頼性の高い優れたインライン型光部品が得られる。
【００１７】
また、本発明は、第１の封止手段が、入出力光ファイバが貫通する穴が形成された第１の中空部材の開口部を塞ぐ透湿性を示さない材質からなる第１の蓋と、第１の中空部材と第１の蓋との間の例えば０．２ｍｍ以下の隙間、および第１の蓋と入出力光ファイバとの間の例えば０．２ｍｍ以下の隙間に充填される封止剤とを備えて構成されていることを特徴とする。
【００１８】
この構成によれば、第１の中空部材内部への湿気の浸透経路は、第１の中空部材と第１の蓋との間の隙間、および第１の蓋と入出力光ファイバとの間の隙間に充填される僅かな封止剤部分に限定される。このため、第１の中空部材の内部に到達する湿気の絶対量が減少し、インライン型光部品に使用される接着剤などの膨潤絶対量はさらに抑制される。このため、第１の中空部材の開口部が封止剤だけで封止される場合に比べて、挿入損失の変動はさらに抑制される。この結果、光学特性がさらに安定した信頼性の高い優れたインライン型光部品が得られる。
【００１９】
また、本発明は、第２の封止手段が、入出力光ファイバが貫通する穴が形成された第２の中空部材の開口部を塞ぐ透湿性を示さない材質からなる第２の蓋と、第２の中空部材と第２の蓋との間の隙間および第２の蓋と入出力光ファイバとの間の隙間に充填される封止剤とを備えて構成され、第２の中空部材の開口部と第２の蓋の一部または全部とは嵌合しており、その嵌合部での第２の中空部材と第２の蓋との間の隙間、および第２の蓋と入出力光ファイバとの間の隙間が共に０．２ｍｍ以下にされていることを特徴とする。
【００２０】
この構成によれば、第２の中空部材内部への湿気の浸透経路は、第２の中空部材と第２の蓋との間の隙間、および第２の蓋と入出力光ファイバとの間の隙間に充填される僅かな封止剤部分に限定される。このため、第２の中空部材の内部に到達する湿気の絶対量が減少し、インライン型光部品本体を収納する第１の中空部材の内部に湿気がさらに浸透し難くなって、接着剤などの膨潤絶対量は一層抑制される。このため、第２の中空部材の開口部が封止剤だけで封止される場合に比べて、挿入損失の変動は一層抑制される。この結果、光学特性が一層安定した信頼性の高い優れたインライン型光部品が得られる。
【００２１】
また、本発明は、第１の封止手段を貫通する入出力光ファイバの全てが、第１の中空部材内部におけるインライン型光部品本体外側の少なくとも一部において、その円周方向全周にわたる被覆が除去されていることを特徴とする。
【００２２】
この構成によれば、入出力光ファイバの被覆は、第１の中空部材内部において連続的に繋がっておらず、湿気が入出力光ファイバの被覆を直接浸透してインライン型光部品本体に到達しなくなる。このため、接着剤などの膨潤絶対量がより一層抑制され、挿入損失の変動もより一層抑制される。この結果、光学特性がより一層安定した信頼性の高い優れたインライン形光部品を得ることができる。
【００２３】
また、本発明は、第２の封止手段を貫通する入出力光ファイバの全てが、第２の中空部材内における第１の中空部材外側から第２の封止手段内にかけて、その円周方向全周にわたる被覆が除去されていることを特徴とする。
【００２４】
この構成によれば、入出力光ファイバの被覆は、第２の中空部材内部および第２の封止手段内部において連続的に繋がっておらず、湿気が入出力光ファイバの被覆を直接浸透して第１の中空部材の内部に到達しなくなる。このため、この構成によっても、第１の中空部材内に使用される接着剤などの膨潤絶対量がより一層抑制され、挿入損失の変動もより一層抑制される。この結果、光学特性がより一層安定した信頼性の高い優れたインライン形光部品を得ることができる。
【００２５】
また、本発明は、緩衝部材が、第１の中空部材の外側面を包む熱収縮チューブであることを特徴とする。
【００２６】
この構成によれば、熱を加えるだけの単純な作業によって、外部からの衝撃や振動などからインライン型光部品を保護する熱収縮チューブの装着が簡単に行われる。このため、装着工程時におけるコストが下がり、機械的ストレスに対して強くて、光学特性の安定した信頼性の高い優れたインライン型光部品を低コストで得られる。
【００２７】
また、本発明は、緩衝部材が、第１の中空部材の外側面と第２の中空部材の中空内側面との間に充填される、柔軟性を有する充填剤であることを特徴とする。
【００２８】
この構成によれば、充填剤により、第１の中空部材の外側面に第２の中空部材が固定されると共に、外部からの衝撃や振動などが吸収されてインライン型光部品本体が保護される。
【発明の効果】
【００２９】
本発明によるインライン型光部品用パッケージによれば、上記のように、高温高湿環境下において外部からインライン型光部品本体に到達する湿気を極めて微量に抑えて、挿入損失等の光学特性の変動を抑えることができると共に、外部から衝撃や振動などが加わる場合においても、これらの機械的ストレスを吸収して、インライン型光部品本体に与える影響を小さくすることができる。
【発明を実施するための最良の形態】
【００３０】
次に、本発明を実施するための最良の形態について説明する。
【００３１】
図２は、本発明によるインライン型光部品用パッケージを適用した第１の実施形態による１×４光ファイバスプリッタ１１のパッケージ構造を示しており、同図（ａ）はそのパッケージを一部破断した平面図、同図（ｂ）は同図（ａ）のIIｂ―IIｂ線に示す位置でパッケージを破断した矢視断面図である。
【００３２】
１×４光ファイバスプリッタ１１は、前述した光ファイバ部品の１つであり、被覆を一部除去した４本の入出力光ファイバ１３ａ，１３ｂ，１３ｃ，１３ｄを融着延伸させて形成される光分岐部分１３ｅを機能部本体として備えている。１×４光ファイバスプリッタ１１に入力した光信号は、この光分岐部分１３ｅにおいて分岐または結合した後に出力される。光分岐部分１３ｅは、半円筒状をした石英製基板１４ａに直方体状に形成された溝１４ａ１内に収納されており、有機系樹脂の接着剤１５で溝１４ａ１内に固定されている。この溝１４ａ１を覆って石英製の基板用蓋１４ｂが基板１４ａに固定されており、基板１４ａと基板用蓋１４ｂとで外径１．７５［ｍｍ］，長さ４５［ｍｍ］の円筒形基板ケース１４になっている。光分岐部分１３ｅを保護するこの基板ケース１４は、外径２．８［ｍｍ］，内径１．８［ｍｍ］，長さ５１［ｍｍ］の第１の中空部材１７に収納されている。この第１の中空部材１７は、基板ケース１４の全体を覆う長さを有しており、基板ケース１４の両側よりも外側の両端部にのみ開口部を有する、透湿性を示さないステンレス製の丸パイプで一体に形成されている。第１の中空部材１７に収納された基板ケース１４は、さらに、外径４［ｍｍ］，内径３．６［ｍｍ］，長さ７０［ｍｍ］の第２の中空部材１８に収納されており、第１の中空部材１７と第２の中空部材１８との２重構造により、光分岐部分１３ｅを収納する基板ケース１４はさらに保護されている。第２の中空部材１８は、第１の中空部材１７の全体を覆う長さを有すると共に、第１の中空部材１７の開口部の外側の両端部にのみ開口部を有しており、透湿性を示さないステンレス製の丸パイプで一体に形成されている。
【００３３】
第１の中空部材１７の外側面と第２の中空部材１８の中空内側面との間には、長さ４７［ｍｍ］，厚さ約０．２［ｍｍ］の熱収縮チューブ１９が、第１の中空部材１７の外側面に沿って第１の中空部材１７を包む状態で設けられている。また、第１の中空部材１７の外側面を被覆する熱収縮チューブ１９と第２の中空部材１８の中空内側面との間には、柔軟性を有する充填剤である変性シリコーン樹脂２０が充填されている。この変性シリコーン樹脂２０によって、第２の中空部材１８は第１の中空部材１７の外側面と所定の間隔をもって固定されている。これらの熱収縮チューブ１９や変成シリコーン樹脂２０は、外部からの衝撃や振動といった機械的ストレスを吸収する緩衝部材を構成している。
【００３４】
図３（ａ），（ｂ）は第１の中空部材１７の両端の開口部を塞ぐ第１の蓋２１，２２を示しており、同図（ｃ），（ｄ）は第２の中空部材１８の両端の開口部を塞ぐ第２の蓋２３，２４を示している。
【００３５】
第１の蓋２１，２２は、外径１．７［ｍｍ］，長さ３［ｍｍ］の円柱形に形成されており、透湿性を示さないアルミ製である。第１の蓋２１，２２の各中心部には、内径０．３［ｍｍ］の穴２１ａ，内径０．７［ｍｍ］の穴２２ａがそれぞれ形成されている。また、第２の蓋２３，２４は、外径３．５５［ｍｍ］，長さ３［ｍｍ］の円柱形に形成されており、透湿性を示さないアルミ製である。第２の蓋２３，２４の各中心部にも、内径０．３［ｍｍ］の穴２３ａ，内径０．７［ｍｍ］の穴２４ａがそれぞれ形成されている。なお、第１の蓋２１，２２および第２の蓋２３，２４は、ステンレスなどで形成されたものを用いることもできる。
【００３６】
第１の蓋２１，２２は第１の中空部材１７の両端の開口部に外周の全てがそれぞれ嵌合しており、左方の第１の蓋２１と第１の中空部材１７の左端の開口部の内壁面との間の隙間（クリアランス）、および右方の第１の蓋２２と第１の中空部材１７の右端の開口部の内壁面との間の隙間は、いずれも０．２［ｍｍ］以下の０．１（＝１．８−１．７）［ｍｍ］になっている。また、第１の蓋２１の穴２１ａを貫通する１本の一次被覆付き入出力光ファイバ１３ｃの直径は約０．２５［ｍｍ］であり、第１の蓋２２の穴２２ａを貫通する４本の正方形に配列された一次被覆付き入出力光ファイバ１３ａ〜１３ｄを囲む外接円の直径は約０．６［ｍｍ］である。このため、第１の蓋２１の穴２１ａと入出力光ファイバ１３ｃとの間の隙間、および第１の蓋２２の穴２２ａと４本の入出力光ファイバ１３ａ〜１３ｄとの間の隙間は、それぞれ０．２［ｍｍ］以下の約０．０５（＝０．３−０．２５）［ｍｍ］、および約０．１（＝０．７−０．６）［ｍｍ］となっている。
【００３７】
図２に示すように、これらの各隙間および基板ケース１４に至るまでの第１の中空部材１７の内部空間には、剛性物質であるエポキシ接着剤２５が充填されており、このエポキシ接着剤２５によって第１の蓋２１，２２は第１の中空部材１７の両端の各開口部および入出力光ファイバ１３ａ〜１３ｄにそれぞれ固定されている。第１の蓋２１，２２およびエポキシ接着剤２５は、第１の中空部材１７の各開口部を入出力光ファイバ１３ａ〜１３ｄが貫通した状態で封止する第１の封止手段を構成している。
【００３８】
第２の蓋２３，２４は第２の中空部材１８の両端の開口部に外周の全てがそれぞれ嵌合しており、左方の第２の蓋２３と第２の中空部材１８の左端の開口部の内壁面との間の隙間、および右方の第２の蓋２４と第２の中空部材１８の右端の開口部の内壁面との間の隙間は、いずれも０．２［ｍｍ］以下の約０．０５（＝３．６−３．５５）［ｍｍ］になっている。また、第１の蓋２１，２２の場合と同様、第２の蓋２３の穴２３ａと入出力光ファイバ１３ｃとの間の隙間、および第２の蓋２４の穴２４ａと４本の入出力光ファイバ１３ａ〜１３ｄとの間の隙間は、それぞれ０．２［ｍｍ］以下の約０．０５（＝０．３−０．２５）［ｍｍ］、および約０．１（＝０．７−０．６）［ｍｍ］となっている。
【００３９】
図２に示すように、これらの各隙間にも、エポキシ接着剤２５が充填されており、エポキシ接着剤２５によって第２の蓋２３，２４は第２の中空部材１８の両端の各開口部および入出力光ファイバ１３ａ〜１３ｄにそれぞれ固定されている。第２の蓋２３，２４およびエポキシ接着剤２５は、第２の中空部材１８の各開口部を入出力光ファイバ１３ａ〜１３ｄが貫通した状態で封止する第２の封止手段を構成している。
【００４０】
また、入出力光ファイバ１３ａ〜１３ｄは、第１の中空部材１７内部における基板ケース１４の両外側で、基板ケース１４の両端部からそれぞれ２［ｍｍ］の位置までのエポキシ接着剤２５が充填された範囲において、円周方向全周にわたる被覆が除去された被覆除去部分２６を有している。
【００４１】
このような本実施形態によるインライン型光部品用パッケージによれば、第２の中空部材１８内部への湿気の浸透経路は第２の中空部材１８の両端の開口部のみとなり、第１の中空部材１７内部への湿気の浸透経路も第１の中空部材１７の両端の開口部のみとなって、各中空部材１８，１７の側面側からの湿気の浸透がなくなる。このため、パッケージ内部の基板ケース１４への湿気の浸透到達量が減少して、１×４光ファイバスプリッタ１１の光分岐部分１３ｅの固定に使用される接着剤１５の膨潤絶対量が抑制される。従って、１×４光ファイバスプリッタ１１の挿入損失の変動も抑制される。また、第１の中空部材１７と第２の中空部材１８との間に設けられた熱収縮チューブ１９および変性シリコーン樹脂２０から構成される緩衝部材によって、外部からの衝撃や振動といった機械的ストレスが吸収されるので、１×４光ファイバスプリッタ１１の光分岐部分１３ｅは機械的にも保護される。このため、高温高湿環境下や外部から機械的ストレスが加わる場合においても、光学特性の安定した信頼性の高い優れた１×４光ファイバスプリッタ１１が得られる。
【００４２】
また、本実施形態では、第１の中空部材１７内部への湿気の浸透経路は、第１の中空部材１７と第１の蓋２１，２２との間のそれぞれの隙間、および第１の蓋２１，２２と入出力光ファイバ１３ａ〜１３ｄとの間のそれぞれの隙間に充填される僅かなエポキシ接着剤２５部分に限定される。このため、第１の中空部材１７の内部に到達する湿気の絶対量が減少し、１×４光ファイバスプリッタ１１に使用される接着剤１５などの膨潤絶対量はさらに抑制される。このため、第１の中空部材１７の開口部がエポキシ接着剤２５だけで封止される場合に比べて、挿入損失の変動はさらに抑制される。この結果、光学特性がさらに安定した信頼性の高い優れた１×４光ファイバスプリッタ１１が得られる。
【００４３】
また、本実施形態では、第２の中空部材１８内部への湿気の浸透経路も、第２の中空部材１８と第２の蓋２３，２４との間のそれぞれの隙間、および第２の蓋２３，２４と入出力光ファイバ１３ａ〜１３ｄとの間のそれぞれの隙間に充填される僅かなエポキシ接着剤２５部分に限定される。このため、第２の中空部材１８の内部に到達する湿気の絶対量が減少し、１×４光ファイバスプリッタ１１の光分岐部分１３ｅを収納する第１の中空部材１７の内部に湿気がさらに浸透し難くなって、接着剤１５などの膨潤絶対量は一層抑制される。このため、第２の中空部材１８の開口部がエポキシ接着剤２５だけで封止される場合に比べて、挿入損失の変動は一層抑制される。この結果、光学特性が一層安定した信頼性の高い優れた１×４光ファイバスプリッタ１１が得られる。
【００４４】
また、本実施形態では、第１の蓋２１，２２を貫通する入出力光ファイバ１３ａ〜１３ｄの全てが、第１の中空部材１７内部における基板ケース１４外側の少なくとも一部において、その円周方向全周にわたる被覆が除去されているため、入出力光ファイバ１３ａ〜１３ｄの被覆は、第１の中空部材１７内部において連続的に繋がっていない。従って、湿気が入出力光ファイバ１３ａ〜１３ｄの被覆を直接浸透して外部から基板ケース１４に到達しなくなる。このため、接着剤１５などの膨潤絶対量がより一層抑制され、挿入損失の変動もより一層抑制される。この結果、光学特性がより一層安定した信頼性の高い優れた１×４光ファイバスプリッタ１１を得ることができる。
【００４５】
また、本実施形態では、緩衝部材が、第１の中空部材１７の外側面を包む熱収縮チューブ１９であるため、熱を加えるだけの単純な作業によって、外部からの衝撃や振動などから１×４光ファイバスプリッタ１１を保護する熱収縮チューブ１９の装着が簡単に行われる。このため、装着工程時におけるコストが下がり、機械的ストレスに対して強くて、光学特性の安定した信頼性の高い優れた１×４光ファイバスプリッタ１１を低コストで得られる。
【００４６】
また、本実施形態では、緩衝部材として、第１の中空部材１７の外側面と第２の中空部材１８の中空内側面との間に充填された、柔軟性を有する変性シリコーン樹脂２０も採用しているため、この変性シリコーン樹脂２０により、第１の中空部材１７の外側面に所定の間隔をもって第２の中空部材１８が固定されると共に、外部からの衝撃や振動などがより効率よく吸収されて１×４光ファイバスプリッタ１１本体が保護される。
【００４７】
上述した本実施形態による１×４光ファイバスプリッタ１１を１５個用意し、Telcordia GR-1221規格に従い、これらの１×４光ファイバスプリッタ１１を温度８５［℃］、湿度８５［％］の環境下に２０００時間放置して高温高湿試験を実施した。この高温高湿試験の実施の前後における各１×４光ファイバスプリッタ１１の挿入損失を比較して得られる挿入損失の変動の平均値は０．３５［ｄＢ］であり、試験条件に適合するものであった。また、従来のパッケージを用いた１×４光ファイバスプリッタを８個用意して同様な試験を行った結果、挿入損失の変動は平均で１．７［ｄＢ］であった。
【００４８】
また、上記の１５個の各１×４光ファイバスプリッタ１１に対して、５００［Ｇ］の加速度で作用時間１．５［ｍｓｅｃ］の衝撃を３０回加える衝撃試験を実施すると共に、１０［Ｈｚ］から５５［Ｈｚ］において２０［Ｇ］の加速度で振動を加え、５５［Ｈｚ］から２［ｋＨｚ］において１．５２［ｍｍ］の振幅の振動を加える振動試験を、２０分間を１サイクルとして３６サイクル実施した。これら衝撃試験および振動試験の実施の前後における各１×４光ファイバスプリッタ１１の挿入損失を比較して得た挿入損失の変動の平均値は０．０８［ｄＢ］であり、試験条件に適合するものであった。
【００４９】
次に、本発明によるインライン型光部品用パッケージを適用した第２の実施形態による平面光導波路型スプリッタについて説明する。
【００５０】
図４（ａ）に示す平面光導波路型スプリッタ（１×４）５１は、前述した光平面導波路部品の１つであり、１×４の光分岐部分を有する機能部本体である光平面導波路チップ５２ａと、この光平面導波路チップ５２ａに接続される入出力光ファイバ１３ａ〜１３ｄおよび１３ｆを固定するファイバブロック５２ｂ，５２ｃとから構成されている。光平面導波路チップ５２ａおよびファイバブロック５２ｂ，５２ｃは、断面が矩形状をした第１の中空部材１７に収納されており、さらに、第１の中空部材１７に収納された状態で断面が矩形状をした第２の中空部材１８に収納されている。第１の中空部材１７の両端部の各開口部は、矩形状をした第１の蓋２１，２２で塞がれている。また、第２の中空部材１８の両端部の各開口部は、同図（ｂ）の左側面図に示すように矩形状をした第２の蓋２３、同図（ｃ）の右側面図に示すように矩形状をした第２の蓋２４で塞がれている。また、本実施形態による平面光導波路型スプリッタ５１のパッケージでは、入出力光ファイバ１３ａ〜１３ｄおよび１３ｆが、第２の中空部材１８内部における第１の蓋２１，２２の外側から第２の蓋２３，２４の穴２３ａ，２４ａ内部にかけての５［ｍｍ］の範囲において、円周方向全周にわたる被覆が除去された被覆除去部分５３を有している。本パッケージは、第１の中空部材１７および第２の中空部材１８の形状、および蓋２１，２２および蓋２３，２４の形状、ならびに被覆除去部分５３が異なっている以外、上記の第１の実施形態と同様の構成となっている。なお、同図において、図２および図３と同一または相当する部分には同一の符号を付してその説明は省略する。
【００５１】
このように第２の蓋２３，２４を貫通する入出力光ファイバ１３ａ〜１３ｄおよび１３ｆの全てが、第２の中空部材１８内部における第１の中空部材１７の外側から第２の蓋２３，２４の穴２３ａ，２４ａ内部にかけて、その円周方向全周にわたる被覆が除去されている構成にすると、入出力光ファイバ１３ａ〜１３ｄおよび１３ｆの被覆は、第２の中空部材１８内部および穴２３ａ，２４ａ内部において連続的に繋がらなくなる。従って、被覆除去箇所をこの構成にしても、湿気が入出力光ファイバ１３ａ〜１３ｄおよび１３ｆの被覆を直接浸透して外部から第１の中空部材１７の内部に到達しなくなる。このため、この場合にも、第１の実施形態と同様、第１の中空部材１７内に使用される接着剤１５などの膨潤絶対量が極めて抑制され、挿入損失の変動も極めて抑制される。
【００５２】
この構成において、平面光導波路型スプリッタ５１を１５個用意し、上記の第１の実施形態と同一の高温高湿試験を実施した。この高温高湿試験の実施の前後における各平面光導波路型スプリッタ５１の挿入損失の変動の平均値は０．３９［ｄＢ］であり、試験条件に適合するものであった。また、各平面光導波路型スプリッタ５１に対して、上記の第１の実施形態と同一の衝撃試験および振動試験を実施した。これら衝撃試験や振動試験の実施の前後における各平面光導波路型スプリッタ５１の挿入損失の変動の平均値は０．０９［ｄＢ］であり、試験条件に適合するものであった。
【００５３】
すなわち、本実施形態による平面光導波路型スプリッタ５１のパッケージにおいても、上記の第１の実施形態と同様の作用効果が奏される。
【００５４】
次に、本発明によるインライン型光部品用パッケージを適用した第３の実施形態による光ファイバブラッググレーティング部品について説明する。
【００５５】
図５に示す光ファイバブラッググレーティング部品６１は、光ファイバスプリッタと同様に光ファイバ部品の１つであり、光ファイバ４０の被覆除去部分４１に、光の波長程度の間隔でコアの屈折率が周期的に変化したグレーティング部４１ａを機能部本体として備えて構成されている。グレーティング部４１ａは、基板１４ａの溝１４ａ１内に接着剤１５で固定された状態で中空円筒状の第１の中空部材１７に収納されており、さらに、第１の中空部材１７に収納された状態で中空円筒状の第２の中空部材１８に収納されている。また、本実施形態による光ファイバブラッググレーティング部品６１のパッケージでは、第１の中空部材１７の両端の開口部がエポキシ接着剤２５だけで封止されており、第１の蓋２１，２２が設けられていない。本パッケージは、その他の部分においては、上記の第１の実施形態と同様の構成となっている。なお、同図において、図２および図３と同一または相当する部分には同一の符号を付してその説明は省略する。
【００５６】
この構成において、光ファイバブラッググレーティング部品６１を１０個用意し、上記の第１の実施形態と同一の高温高湿試験を実施した。この高温高湿試験の実施の前後における各光ファイバブラッググレーティング部品６１の反射ピーク波長の変動の平均値は０．２［ｎｍ］であり、挿入損失の変動の平均値は極めて小さくて試験条件に適合するものであった。また、各光ファイバブラッググレーティング部品６１に対して、上記の第１の実施形態と同一の衝撃試験および振動試験を実施した。これら衝撃試験や振動試験の実施の前後における各光ファイバブラッググレーティング部品６１の挿入損失の変動の平均値は０．０９［ｄＢ］であり、試験条件に適合するものであった。
【００５７】
すなわち、本実施形態による光ファイバブラッググレーティング部品６１のパッケージにおいても、上記の第１の実施形態と同様の作用効果が奏される。
【００５８】
なお、上記の各実施形態においては、本発明によるインライン型光部品用パッケージに、両端に開口部を有する中空部材１７，１８を用いた場合を説明したが、本発明はこれに限られるものではない。例えば、図６にパッケージを一部破断した平面図を示す、片側にのみ開口部を有する中空部材７２，７３を用いた光平面導波路部品７１に適用することもできる。なお、同図において、図２および図３と同一または相当する部分には同一の符号を付してその説明は省略する。
【００５９】
光平面導波路部品７１は、機能部本体である光平面導波路チップ７４ａと、この光平面導波路チップ７４ａの片側に接続される入出力光ファイバ７５ａ，７５ｂ，７５ｃを固定するファイバブロック７４ｂとから構成されている。第１の中空部材７２は、光平面導波路チップ７４ａおよびファイバブロック７４ｂの全体を覆う長さを有すると共に透湿性を示さない樹脂で一体に形成されており、第２の中空部材７３は、第１の中空部材７２の全体を覆う長さを有すると共に透湿性を示さない樹脂で一体に形成されている。光平面導波路チップ７４ａおよびファイバブロック７４ｂは第１の中空部材７２に収納されると共に第２の中空部材７３にも収納されており、第１の中空部材７２の外側面と第２の中空部材７３の中空内側面との間の空間には、上記の第１の実施形態と同様、外部からの衝撃や振動を吸収する緩衝部材を構成する熱収縮チューブ１９および変性シリコーン樹脂２０が設けられている。
【００６０】
第１の中空部材７２および第２の中空部材７３の各開口部にはそれぞれ透湿性を示さない樹脂で形成された第１の蓋７７および第２の蓋７８が嵌合している。これら第１の蓋７７および第２の蓋７８の中心部にはそれぞれ穴７７ａおよび穴７８ａが形成されており、入出力光ファイバ７５ａ〜７５ｃはこれらの穴７７ａおよび穴７８ａを貫通している。第１の蓋７７と第１の中空部材７２の開口部の内壁面との間の隙間、および第２の蓋７８と第２の中空部材７３の開口部の内壁面との間の隙間は、いずれも０．２［ｍｍ］以下になっている。また、穴７７ａの内壁面と入出力光ファイバ７５ａ〜７５ｃとの間の隙間および穴７８ａの内壁面と入出力光ファイバ７５ａ〜７５ｃとの間の隙間も、それぞれ０．２［ｍｍ］以下となっている。
【００６１】
同図に示すように、これらの各隙間には、エポキシ接着剤２５が充填されており、エポキシ接着剤２５によって各蓋７７，７８は各中空部材７２，７３の各開口部に固定されている。第１の中空部材７２の開口部は、第１の蓋７７およびエポキシ接着剤２５によって封止されており、第２の中空部材７３の開口部は、第２の蓋７８およびエポキシ接着剤２５によって封止されている。
【００６２】
この構成において、上記の第１の実施形態と同様の高温高湿試験を実施すると、第１，第２の中空部材７２，７３の各開口部に設けられたエポキシ接着剤２５を介して第１の中空部材７２内部に僅かに湿気が浸透するが、各中空部材７２，７３は片側にのみ開口部を有しているため、中空部材１７，１８の両側に開口部を有している上記の各実施形態に比べて、光平面導波路チップ７４ａおよびファイバブロック７４ｂへの湿気の到達量は少なくなる。このため、高温高湿試験において、上記の各実施形態におけるインライン型光部品用パッケージに比べて、さらに挿入損失の変動を小さくすることができる。また、上記の各実施形態と同様の衝撃試験や振動試験を実施しても、上記の各実施形態と同様、これらの衝撃や振動は熱収縮チューブ１９および変性シリコーン樹脂２０によって吸収され、光平面導波路チップ７４ａおよびファイバブロック７４ｂに直接伝わることはほとんどない。
【００６３】
また、上記の各実施形態においては、ステンレスやアルミなどの金属や樹脂からなる第１の中空部材１７，７２および蓋２１，２２，７７、ならびに第２の中空部材１８，７３および蓋２３，２４，７８を用いた場合を説明したが、本発明はこれに限られるものではない。各中空部材および蓋は、ガラスやセラミック等であってもよい。
【００６４】
また、上記の各実施形態においては、各中空部材１７，１８，７２，７３の各開口部に蓋２１〜２４，７７，７８を固定して封止する封止剤としてエポキシ接着剤２５を用いた場合を説明したが、本発明はこれに限られるものではない。封止剤として、アクリル性接着剤やフェノール樹脂などを用いてもよい。また、これらの封止剤を層状に重なり合うように充填してもよい。さらに、各中空部材１７，１８，７２，７３の開口部を封止する封止剤の封止性を高めるために、各中空部材１７，１８，７２，７３の開口部の内壁面に、封止剤の接着効果を高めるシラン処理を施してもよい。
【００６５】
上記のいずれの構成においても、上記の各実施形態におけるインライン型光部品用パッケージと同様の作用効果が奏される。
【産業上の利用可能性】
【００６６】
上記の各実施形態においては、光ファイバ部品や光平面導波路部品等を用いたインライン型光部品用パッケージを説明したが、本発明はこれらに限られるものではない。例えば、アクティブ光部品やバルク型光部品に、本発明によるインライン型光部品用パッケージを適用することも可能である。このような場合においても上記の各実施形態と同様の作用効果が奏される。
【図面の簡単な説明】
【００６７】
【図１】従来の１×２光ファイバスプリッタを示しており、（ａ）はこの１×２光ファイバスプリッタのパッケージを一部破断した平面図、（ｂ）は（ａ）のIｂ―Iｂ線に示す位置で１×２光ファイバスプリッタを破断した矢視断面図である。
【図２】本発明の第１の実施形態による１×４光ファイバスプリッタを示しており、（ａ）はそのパッケージを一部破断した平面図、（ｂ）は（ａ）のIIｂ―IIｂ線に示す位置で１×４光ファイバスプリッタを破断した矢視断面図である。
【図３】本発明の第１の実施形態による１×４光ファイバスプリッタのパッケージにおいて、中空部材の各開口部を封止するために使用される蓋の斜視図である。
【図４】本発明の第２の実施形態による平面光導波路型スプリッタ（１×４）のパッケージを一部破断した平面図、およびその左右の側面図である。
【図５】本発明の第３の実施形態による光ファイバブラッググレーティング部品のパッケージを一部破断した平面図である。
【図６】本発明の変形例による光平面導波路部品のパッケージを一部破断した平面図である。
【符号の説明】
【００６８】
１１…１×４光ファイバスプリッタ
１３ａ〜１３ｄ，１３ｆ，４０，７５ａ〜７５ｃ…光ファイバ
１３ｅ…光分岐部分
１４…基板ケース
１５…接着剤
１７，１８，７２，７３…中空部材
１９…熱収縮チューブ
２０…変性シリコーン封止剤
２１，２２，２３，２４，７７，７８…蓋
２１ａ〜２４ａ，７７ａ，７８ａ…穴
２５…エポキシ接着剤
４１ａ…グレーティング部
５１…平面光導波路型スプリッタ（１×４）
５２ａ，７４ａ…光平面導波路チップ
５２ｂ，５２ｃ，７４ｂ…ファイバブロック
６１…光ファイバブラッググレーティング部品
７１…光平面導波路部品
【図１】
2006293041.tif 000003
【図２】
2006293041.tif 000004
【図３】
2006293041.tif 000005
【図４】
2006293041.tif 000006
【図５】
2006293041.tif 000007
【図６】
2006293041.tif 000008